(57)【要約】      （修正有）【課題】パスサーチを高精度化する。【解決手段】パスサーチ部３は初期同期の後に、受信信号との同期のタイミングに基づいて、受信信号から所定の相関ピークを抽出し、それらのタイミングを特定する。逆拡散回路２１は、共通パイロットチャンネルの拡散符号ＰＮｃｐと、個別物理チャネルの拡散符号ＰＮｄｐとを切替えつつ、受信信号との相関を算出する。逆拡散回路２１の出力は同相化部５１に入力され、各送信アンテナＡ１、Ａ２からの信号が分離される。個別物理チャンネルまたは共通パイロットチャンネルについて、送信アンテナＡ１、Ａ２ごとに受信信号を分離する。同相化部５１の出力信号は同相加算部５２１、５２２にそれぞれ入力され、個別物理チャンネルまたは共通パイロットチャンネルの複数スロットのパイロット信号を同相加算により平均する。同相加算部５２１、５２２の出力は電力平均部５３１、５３２にそれぞれ入力され、それぞれ巡回積分により電力平均が算出される。【選択図】        図５
2004289191.tif 000002
【特許請求の範囲】
【請求項１】
送信側では、複数の送信アンテナを設け、各アンテナに互いに直交のパイロットパターンを割り当て、送信すべき情報と対応する送信アンテナのパイロットパターンとを時間多重で組合せた個別物理チャンネル（この場合、上記パイロットパターンを個別パイロットと呼ぶ）を所定の拡散符号と乗じ、割り当てられた送信アンテナから送信し、移動局の受信側では送信側から送信された信号を受信信号として受信し、この受信信号と前記拡散符号との相関をとることによって逆拡散し、前記情報を復調するＤＳ−ＣＤＭＡ（直接拡散符号分割多重通信）システムにおいて、
受信側ではまず前記時間多重された個別パイロットパターンの同期（スロット同期）をとった後、当該パイロットブロックの逆拡散後の受信信号と送信アンテナ毎のパイロットパターンの複素共役とを送信アンテナ別に複素乗算を行い、個別物理チャンネルのパイロットブロックの逆拡散後の受信信号を送信アンテナ別に分離し、分離後の信号を用いて送信アンテナ別に遅延プロファイルを求め、マルチパスをサーチすることを特徴とするパスサーチ方法。
【請求項２】
送信側では、複数の送信アンテナを設け、各アンテナに互いに直交のパイロットパターンを割り当て、同一基地局にある全ての移動局に共通なパイロットチャンネルを設け、本共通パイロットチャンネルに対応する送信アンテナのパイロットパターンを載せた後の信号（この場合、共通パイロットと呼ぶ）を所定の拡散符号と乗じ、割り当てられた送信アンテナから送信し、移動局の受信側では送信側から送信された信号を受信信号として受信し、この受信信号と前記拡散符号との相関をとることによって逆拡散し、送信信号を復調するＤＳ−ＣＤＭＡ（直接拡散符号分割多重通信）システムにおいて、
受信側ではまず共通パイロットチャンネルのスロット同期をとった後、当該パイロットブロックの逆拡散後の受信信号と送信アンテナ毎のパイロットパターンの複素共役とを送信アンテナ別に複素乗算を行ない、共通パイロットチャンネルの逆拡散後の受信信号を送信アンテナ別に分離し、分離後の信号を用いて送信アンテナ別に遅延プロファイルを求め、マルチパスをサーチすることを特徴とするパスサーチ方法。
【請求項３】
送信側では、複数の送信アンテナを設け、各アンテナに互いに直交の第１セットのパイロットパターンを割り当て、送信すべき情報と対応する送信アンテナの第１セットに属するパイロットパターンとを時間多重で組み合わせた個別物理チャンネル（この場合、上記パイロットパターンを個別パイロットと呼ぶ）に個別物理チャンネル用の拡散符号を乗じ、
また、各アンテナに互いに直交の第２セットのパイロットパターンを割り当て、同一基地局にある全ての移動局に共通なパイロットチャンネルを設け、本共通パイロットチャンネルに対応する送信アンテナの第２セットに属するパイロットパターンを載せた信号（この場合、共通パイロットと呼ぶ）を共通パイロットチャンネル用の拡散符号と乗じ、
上記の個別物理チャンネルと共通パイロットチャンネルの信号を割り当てられた送信アンテナから送信し、移動局の受信側では基地局の送信側から送信された信号を受信信号として受信し、この受信信号と前記個別物理チャンネル用拡散符号及び共通パイロットチャンネル用拡散符号との相関をとることによって逆拡散し、前記情報を復調するＤＳ−ＣＤＭＡ（直接拡散符号分割多重通信）システムにおいて、
受信側では個別物理チャンネルの受信信号または共通パイロットチャンネルの受信信号を用いてマルチパスをサーチし、
個別物理チャンネルの受信信号を用いてマルチパスをサーチする場合は、スロット同期後当該個別パイロットブロックの逆拡散後の受信信号と送信アンテナ毎の第１セットに属するパイロットパターンの複素共役とを送信アンテナ別に複素乗算を行ない、個別物理チャンネルのパイロットブロックの逆拡散後の受信信号を送信アンテナ別に分離し、
共通パイロットチャンネルの受信信号を用いてマルチパスをサーチする場合は、スロット同期後当該共通パイロットブロックの逆拡散後の受信信号と送信アンテナ毎の第２セットに属するパイロットパターンの複素共役とを送信アンテナ別に複素乗算を行ない、共通パイロットチャンネルのパイロットブロックの逆拡散後の受信信号を送信アンテナ別に分離し、
分離後の個別物理チャンネルまたは共通パイロットチャンネルの逆拡散後の受信信号を用いて送信アンテナ別に遅延プロファイルを求め、マルチパスをサーチすることを特徴とするパスサーチ方法。
【請求項４】
パスサーチに際し、前記送信アンテナ毎に分離されたパイロットブロックの逆拡散後の受信信号を、同相成分（Ｉ成分）と直交成分（Ｑ成分）別にシンボル周期で連続する複数スロットに渡り各シンボル内の対応するチップ（サンプル信号）を同相加算（平均）し、その結果の信号電力を求め、更にシンボル周期で対応するチップ（サンプル信号）の信号電力平均を行い、送信アンテナ毎の遅延プロファイルを求め、各遅延プロファイルにおいてそれぞれ閾値以上の信号電力を持つチップ（サンプル信号）の位相をマルチパス位相とすることを特徴とする請求項１乃至３のいずれか１項に記載のパスサーチ方法。
【請求項５】
パスサーチに際し、前記送信アンテナ毎に分離されたパイロットブロックの逆拡散後の受信信号を、各シンボル内のチップ（サンプル信号）毎の同相成分（Ｉ成分）と直交成分（Ｑ成分）から信号電力を算出し、連続する複数スロットに渡りシンボル周期で対応するチップ（サンプル信号）の信号電力平均を行ない、送信アンテナ毎の遅延プロファイルを求め、各遅延プロファイルにおいてそれぞれ閾値以上の信号電力を持つチップ（サンプル信号）の位相をマルチパス位相とすることを特徴とする請求項１乃至３のいずれか１項に記載のパスサーチ方法。
【請求項６】
受信側では、パスサーチのための逆拡散回路の拡散符号やパイロットパターンの複素共役とパイロットブロックの逆拡散後の受信信号との複素乗算回路のパイロットパターンを切り替え可能とし、同一な回路で拡散符号及びパイロットパターンを切り替えることによって個別物理チャンネルまたは共通パイロットチャンネルを用いてパスサーチすることを特徴とする請求項１乃至３のいずれか１項に記載のパスサーチ方法。
【請求項７】
送信側では、複数の送信アンテナを設け、各アンテナに互いに直交のパイロットパターンを割り当て、送信すべき情報と対応する送信アンテナのパイロットパターンとを時間多重で組合せた個別物理チャンネル（この場合、上記パイロットパターンを個別パイロットと呼ぶ）を所定の拡散符号と乗じ、割り当てられた送信アンテナから送信し、移動局の受信側では送信側から送信された信号を受信信号として受信し、この受信信号と前記拡散符号との相関をとることによって逆拡散し、前記情報を復調するＤＳ−ＣＤＭＡ（直接拡散符号分割多重通信）システムにおいて、
前記時間多重された個別パイロットパターンの同期（スロット同期）をとった後、当該パイロットブロックの逆拡散後の受信信号と送信アンテナ毎のパイロットパターンの複素共役とを送信アンテナ別に複素乗算を行い、個別物理チャンネルのパイロットブロックの逆拡散後の受信信号を送信アンテナ別に分離し、分離後の信号を用いて送信アンテナ別に遅延プロファイルを求め、マルチパスをサーチすることを特徴とする受信装置。
【請求項８】
送信側では、複数の送信アンテナを設け、各アンテナに互いに直交のパイロットパターンを割り当て、同一基地局にある全ての移動局に共通なパイロットチャンネルを設け、本共通パイロットチャンネルに対応する送信アンテナのパイロットパターンを載せた後の信号（この場合、共通パイロットと呼ぶ）を所定の拡散符号と乗じ、割り当てられた送信アンテナから送信し、移動局の受信側では送信側から送信された信号を受信信号として受信し、この受信信号と前記拡散符号との相関をとることによって逆拡散し、送信信号を復調するＤＳ−ＣＤＭＡ（直接拡散符号分割多重通信）システムにおいて、
共通パイロットチャンネルのスロット同期をとった後、当該パイロットブロックの逆拡散後の受信信号と送信アンテナ毎のパイロットパターンの複素共役とを送信アンテナ別に複素乗算を行ない、共通パイロットチャンネルの逆拡散後の受信信号を送信アンテナ別に分離し、分離後の信号を用いて送信アンテナ別に遅延プロファイルを求め、マルチパスをサーチすることを特徴とする受信装置。
【請求項９】
送信側では、複数の送信アンテナを設け、各アンテナに互いに直交の第１セットのパイロットパターンを割り当て、送信すべき情報と対応する送信アンテナの第１セットに属するパイロットパターンとを時間多重で組み合わせた個別物理チャンネル（この場合、上記パイロットパターンを個別パイロットと呼ぶ）に個別物理チャンネル用の拡散符号を乗じ、
また、各アンテナに互いに直交の第２セットのパイロットパターンを割り当て、同一基地局にある全ての移動局に共通なパイロットチャンネルを設け、本共通パイロットチャンネルに対応する送信アンテナの第２セットに属するパイロットパターンを載せた信号（この場合、共通パイロットと呼ぶ）を共通パイロットチャンネル用の拡散符号と乗じ、
上記の個別物理チャンネルと共通パイロットチャンネルの信号を割り当てられた送信アンテナから送信し、移動局の受信側では基地局の送信側から送信された信号を受信信号として受信し、この受信信号と前記個別物理チャンネル用拡散符号及び共通パイロットチャンネル用拡散符号との相関をとることによって逆拡散し、前記情報を復調するＤＳ−ＣＤＭＡ（直接拡散符号分割多重通信）システムにおいて、
個別物理チャンネルの受信信号または共通パイロットチャンネルの受信信号を用いてマルチパスをサーチし、
個別物理チャンネルの受信信号を用いてマルチパスをサーチする場合は、スロット同期後当該個別パイロットブロックの逆拡散後の受信信号と送信アンテナ毎の第１セットに属するパイロットパターンの複素共役とを送信アンテナ別に複素乗算を行ない、個別物理チャンネルのパイロットブロックの逆拡散後の受信信号を送信アンテナ別に分離し、
共通パイロットチャンネルの受信信号を用いてマルチパスをサーチする場合は、スロット同期後当該共通パイロットブロックの逆拡散後の受信信号と送信アンテナ毎の第２セットに属するパイロットパターンの複素共役とを送信アンテナ別に複素乗算を行ない、共通パイロットチャンネルのパイロットブロックの逆拡散後の受信信号を送信アンテナ別に分離し、
分離後の個別物理チャンネルまたは共通パイロットチャンネルの逆拡散後の受信信号を用いて送信アンテナ別に遅延プロファイルを求め、マルチパスをサーチすることを特徴とする受信装置。
【請求項１０】
パスサーチに際し、前記送信アンテナ毎に分離されたパイロットブロックの逆拡散後の受信信号を、同相成分（Ｉ成分）と直交成分（Ｑ成分）別にシンボル周期で連続する複数スロットに渡り各シンボル内の対応するチップ（サンプル信号）を同相加算（平均）し、その結果の信号電力を求め、更にシンボル周期で対応するチップ（サンプル信号）の信号電力平均を行い、送信アンテナ毎の遅延プロファイルを求め、各遅延プロファイルにおいてそれぞれ閾値以上の信号電力を持つチップ（サンプル信号）の位相をマルチパス位相とすることを特徴とする請求項７乃至９のいずれか１項に記載の受信装置。
【請求項１１】
パスサーチに際し、前記送信アンテナ毎に分離されたパイロットブロックの逆拡散後の受信信号を、各シンボル内のチップ（サンプル信号）毎の同相成分（Ｉ成分）と直交成分（Ｑ成分）から信号電力を算出し、連続する複数スロットに渡りシンボル周期で対応するチップ（サンプル信号）の信号電力平均を行ない、送信アンテナ毎の遅延プロファイルを求め、各遅延プロファイルにおいてそれぞれ閾値以上の信号電力を持つチップ（サンプル信号）の位相をマルチパス位相とすることを特徴とする請求項７乃至９のいずれか１項に記載の受信装置。
【請求項１２】
パスサーチのための逆拡散回路の拡散符号やパイロットパターンの複素共役とパイロットブロックの逆拡散後の受信信号との複素乗算回路のパイロットパターンを切り替え可能とし、同一な回路で拡散符号及びパイロットパターンを切り替えることによって個別物理チャンネルまたは共通パイロットチャンネルを用いてパスサーチし得ることを特徴とする請求項７乃至９のいずれか１項に記載の受信装置。
【発明の詳細な説明】
【０００１】
【発明が属する技術分野】
本発明は、基地局の送信側では、複数の送信用アンテナを設け、送信すべき情報とパイロット信号とを組合せた信号を所定のパイロットパターンで各送信用アンテナに割り振り、これらの信号に所定の拡散符号を乗じて、割り振られた送信用アンテナから送信し、移動局の受信側では基地局側から送信された信号を受信信号として受信し、この受信信号と前記拡散符号との相関をとることによって逆拡散し、これによって前記情報を復調するＤＳ−ＣＤＭＡ（直接拡散符号分割多重通信）システムに関する。
【０００２】
【従来の技術】
ＤＳ−ＣＤＭＡシステムにおいては、マルチパスフェージングにより受信品質が劣化するが、基地局に複数の送信アンテナを設ける送信ダイバーシチ方式の採用により、受信特性を大幅に改善し得る。
【０００３】
【発明が解決しようとする課題】
本発明は送信ダイバーシチ方式を採用したＤＳ−ＣＤＭＡシステムにおいて、高精度のパスサーチを実現し得るパスサーチ方法および受信装置を提供することを目的とする。
【０００４】
【課題を解決するための手段】
本発明に係るパスサーチ方法および受信装置は、基地局の送信側では、複数の送信用アンテナを設け、各アンテナに直交のパイロットパターン（個別パイロットパターン及び共通パイロットパターン）を割りあて、送信すべき情報と個別パイロット信号とを組合せた信号をのせる個別物理チャンネルと共通パイロットチャンネル信号を所定の拡散符号と乗じ、複数の送信アンテナから送信し、受信側では基地局の送信側から送信された信号を受信信号として受信し、この受信信号と前記拡散符号との相関をとることによって逆拡散し、これによって前記情報を復調するＤＳ−ＣＤＭＡ（直接拡散符号分割多重通信）システムにおいて、移動局の受信側では前記直交パイロットパターンに基づいて前記各送信用アンテナからの送信信号を分離し、各信号の逆拡散結果を同相加算するとともにそれぞれ（アンテナ毎）の電力平均を算出し、送信アンテナ毎の電力平均の遅延プロファイルに対して遅延プロファイル合成を行う高精度のパスサーチ結果に基づいてレーク（ＲＡＫＥ）受信することにより、受信品質を向上することが可能である。
【０００５】
本発明に係るパスサーチ方法および受信装置は、各移動局に対応した個別物理チャンネル、および同じセル内の全ての移動局に共通な共通パイロットチャンネルを設け、送信側では、複数の送信用アンテナを設け、前記個別物理チャンネルでは送信すべき情報と個別パイロット信号とを組合せた信号を所定のアンテナ間直交のパイロットパターンで各送信用アンテナに割り振り、これらの信号に個別物理チャンネルの拡散符号を乗じ、前記共通パイロットチャンネルでは既知の信号に共通パイロットチャンネルの拡散符号を乗じ、割り振られた送信用アンテナから送信し、受信側では送信側から送信された信号を受信信号として受信し、この受信信号と前記拡散符号との相関演算を逆拡散回路（マッチドフィルタまたは複数の相関器）によって行うことによって逆拡散し、これによって前記情報を復調するＤＳ−ＣＤＭＡ（直接拡散符号分割多重通信）システムにおいて、受信側では、前記相関演算に際して、１セットの逆拡散回路（マッチドフィルタまたは複数の相関器）に前記個別物理チャンネルの拡散符号と、前記共通パイロットチャンネルの拡散符号とを切り替えて適用する。これによって回路規模の増大がなく、必要に応じて個別物理チャンネルと共通パイロットチャンネルに基づいてパスサーチすることが可能である。さらに前記アンテナ間直交のパイロットパターンに基づいて前記各送信用アンテナからの送信信号を分離し、各信号の逆拡散結果を同相加算するとともにそれぞれ（アンテナ毎）の電力平均を算出し、送信アンテナ毎の電力平均の遅延プロファイルに対して遅延プロファイル合成を行なう高精度のパスサーチの結果に基づいて、レーク（ＲＡＫＥ）受信することにより、受信品質を向上することが可能である。
【０００６】
【発明の実施の形態】
次に本発明に係るＤＳ−ＣＤＭＡ通信のパスサーチ方法および受信装置の好適な実施の形態を図面に基づいて説明する。
【０００７】
【実施例】
図１に示すように、ＤＳ−ＣＤＭＡシステムは、伝送特性改善のために、送信ダイバーシチ方式を採用しており、基地局ＢＳには２つの送信用アンテナＡ１、Ａ２が設けられ、同一移動局に送信すべき１つの個別物理チャンネルは、同様な情報を送信用アンテナＡ１、Ａ２から送信され、それぞれ個別物理チャンネルＤＰＣＨ１とＤＰＣＨ２とする。さらにチャンネル推定のためのパイロット信号を共通パイロットチャンネルＣＰＩＣＨ１、ＣＰＩＣＨ２として、送信用アンテナＡ１、Ａ２からそれぞれ送信する。
【０００８】
共通パイロットチャンネルＣＰＩＣＨ１、ＣＰＩＣＨ２では、互いに直交のパイロット信号を同一セル内の全ての移動局に共通の拡散符号で拡散する。
【０００９】
図２に通信スロットフォーマットを示す。図２に示すように、個別物理チャンネルで送信すべき信号はＤａｔａ１、ＴＰＣ、ＴＦＣＩ、Ｄａｔａ２及び個別パイロット（Ｐｉｌｏｔ）を時間多重で送信する。
【００１０】
送信ダイバーシチ方式には、送信パターンがあらかじめ定められているＰＤ（Ｐｒｅｄｅｔｅｒｍｉｎｅｄ）型、移動局からの選択情報に基づいた送信パターンで送信するＦＢ（Ｆｅｅｄｂａｃｋ）型があり、ＰＤ型にはＴＳＴＤ（Ｔｉｍｅ  Ｓｗｉｔｃｈｅｄ  Ｔｒａｎｓｍｉｔ  Ｄｉｖｅｒｓｉｔｙ）型、ＯＴＤ（Ｏｒｔｈｏｇｏｎａｌ  Ｔｒａｎｓｍｉｔ  Ｄｉｖｅｒｓｉｔｙ）型、ＳＴＴＤ（Ｓｐａｃｅ  Ｔｉｍｅ  Ｔｒａｎｓｍｉｔ  Ｄｉｖｅｒｓｉｔｙ）型がある。なお送信ダイバーシチ方式については、福元暁他著「Ｗ−ＣＤＭＡにおける下りリンク送信ダイバーシチの効果」、信学技報ＲＣＳ９９−１２（１９９９−０４）、Ｐ３１−３６等に記載されている。
【００１１】
本実施例では、個別物理チャンネルに適用されるＳＴＴＤ型の送信ダイバーシチ方式と共通パイロットチャンネルに適用されるＰＤ型送信ダイバーシチ方式を前提に説明する。
【００１２】
図３（ａ）に示すように、ＳＴＴＤ方式では送信信号を連続４ビットごとに送信アンテナＡ１、Ａ２に割り振り、両送信アンテナＡ１、Ａ２から同時に送信する。なお、図３（ｂ）に示すように、ＳＴＴＤ方式のみならず、個別物理チャンネルや共通制御チャンネルに送信ダイバーシチ方式が適用された場合、両アンテナから直交パイロットパターンを載せる共通パイロットチャンネルを同一拡散符号で拡散し、両アンテナから送信する。
【００１３】
図４はＤＳ−ＣＤＭＡ通信システムにおける受信装置の全体構成を示すブロック図である。無線周波数の受信信号がベースバンド信号ＲＳに変換され、このベースバンド信号ＲＳはアナログ・デジタル（Ａ／Ｄ）コンバータ１によってデジタル信号に変換される。このデジタル信号はセルサーチ部２、パスサーチ部３、コントロールチャンネル受信部４、トラフィックチャンネル（個別物理チャンネル等）受信部６に並列に入力される。
【００１４】
セルサーチ部２は、受信信号と所定の拡散符号との相関を算出するマッチドフィルタもしくは複数のスライディング相関器（図示せず。）を有し、このマッチドフィルタによって、受信信号との同期タイミングを検出する（初期同期）。同期タイミングを検出した後に、各基地局特有の拡散符号もしくはスクランブルコードを特定し、信号受信すべき基地局を選択する。
【００１５】
パスサーチ部３は初期同期の後に、受信信号との同期のタイミング（フレーム同期、スロット同期）に基づいて、受信信号にマルチパス（同一信号が反射等により異なる時間差をもって複数の信号として移動局に到達する現象）が生じたときに、これら複数の信号から所定の相関ピーク（マルチパス）を抽出し、かつそれらのタイミング（位相）を特定する。
【００１６】
図５において、パスサーチ部３は逆拡散回路（マッチドフィルタまたは複数の相関器）２１を有し、共通パイロットチャンネルに基づいてパスサーチする場合は、共通パイロットチャンネルＣＰＩＣＨ１、ＣＰＩＣＨ２の拡散符号ＰＮｃｐと、受信信号との相関を算出する（逆拡散する）。個別物理チャネルに基づいてパスサーチする場合は、個別物理チャンネルＤＰＣＨ１、ＤＰＣＨ２の拡散符号ＰＮｄｐと、受信信号との相関を算出する（逆拡散する）。なお、共通パイロットチャンネルに基づいたパスサーチの場合と個別物理チャンネルに基づいたパスサーチの場合は、ともに前記のスロット同期タイミングを利用して、パイロットブロックのみの信号またはその一部を逆拡散する。
【００１７】
逆拡散回路２１の出力は同相化部５１に入力され、共通パイロットチャンネルに基づいてパスサーチする場合は、各送信アンテナＡ１、Ａ２から送信されるパイロット信号のパイロットパターンＰＰａｎｔ１、ＰＰａｎｔ２のそれぞれの複素共役と複素乗算し、パイロットパターンＰＰａｎｔ１、ＰＰａｎｔ２の変調効果を除去する。これによって各送信アンテナＡ１、Ａ２からの共通パイロットチャンネル信号が分離され、信号Ｓａｎｔ１、Ｓａｎｔ２を出力する。信号Ｓａｎｔ１と信号Ｓａｎｔ２は、それぞれ複素成分（同相成分Ｉと直交成分Ｑ）を持つ信号である。
【００１８】
一方、個別物理チャンネルに基づいてパスサーチする場合は、送信ダイバーシチ時に個別物理チャンネルの各スロットに時間多重されるパイロット信号（図２のＰｉｌｏｔブロック）は送信アンテナ間に互いに直交するパイロットパターンが割り当てられるため、これら互いに直交のパイロットパターンを上記ＰＰａｎｔ１、ＰＰａｎｔ２と同様にパイロットパターンの複素共役と受信信号と複素乗算し、パイロットパターンの変調効果を除去する。これによって、各送信アンテナＡ１、Ａ２からの個別物理チャンネル信号が分離され、信号Ｓａｎｔ１、Ｓａｎｔ２を出力する。信号Ｓａｎｔ１と信号Ｓａｎｔ２は、それぞれ複素成分（同相成分Ｉと直交成分Ｑ）を持つ信号である。
【００１９】
共通パイロットチャンネルに基づいてパスサーチする場合は、同相化部５１の出力信号Ｓａｎｔ１、Ｓａｎｔ２は同相加算部５２１、５２２にそれぞれ入力され、共通パイロットチャンネルの複数スロットのパイロット信号（共通パイロット信号）を同相成分Ｉと直交成分Ｑ別に平均する。同相加算部５２１、５２２の出力は信号電力平均部５３１、５３２にそれぞれ入力され、各サンプル信号の信号電力を計算し、そしてそれぞれシンボル周期での巡回積分により各サンプルの信号電力平均が算出される。信号電力平均部５３１、５３２の出力は遅延プロファイル合成部５４に入力され、送信用アンテナＡ１、Ａ２の有力なマルチパスが選択される。
【００２０】
一方個別物理チャンネルに基づいてパスサーチする場合は、同相化部５１の出力信号Ｓａｎｔ１、Ｓａｎｔ２は同相加算部５２１、５２２にそれぞれ入力され、個別物理チャンネルの複数スロットのパイロット信号（個別パイロット信号）を同相成分Ｉと直交成分Ｑ別に平均する。同相加算部５２１、５２２の出力は信号電力平均部５３１、５３２にそれぞれ入力され、各サンプル信号の信号電力を計算し、そしてそれぞれシンボル周期での巡回積分により各サンプルの信号電力平均が算出される。信号電力平均部５３１、５３２の出力は遅延プロファイル合成部５４に入力され、送信用アンテナＡ１、Ａ２の有力なマルチパスが選択される。
【００２１】
遅延プロファイル合成部５４の出力はマルチパス選択部５５に入力され、レーク合成すべきマルチパスが選択される。
【００２２】
図６（ａ）に示すように、個別物理チャンネルの同相加算においては、同相加算回路５２１、５２２を用い、連続する４スロットＳｌｏｔｋ−２、Ｓｌｏｔｋ−１、Ｓｌｏｔｋ、Ｓｌｏｔｋ＋１において、相前後する２スロット（Ｓｌｏｔｋ−２、Ｓｌｏｔｋ−１）と（Ｓｌｏｔｋ、Ｓｌｏｔｋ＋１）の個別パイロット信号を同相成分（Ｉ成分）と直交成分（Ｑ成分）別にシンボル周期で各シンボル内の対応するチップ（サンプル信号）を同相加算（平均）する。すなわち個別パイロット信号Ｐｉｌｏｔｋ−２、Ｐｉｌｏｔｋ−１の同相平均ＡＶｋ−１（複素成分を持つ信号）を算出し、個別パイロット信号Ｐｉｌｏｔｋ、Ｐｉｌｏｔｋ＋１の同相平均ＡＶｋ＋１（複素成分を持つ信号）を算出し、これら平均値の各サンプルの信号電力を計算し、更にシンボル周期で対応するチップ（サンプル信号）の信号電力平均ＡＶＰｋ＋１を算出する。このような同相加算と、信号電力計算、信号電力平均部５３１、５３２による信号電力平均算出により、ノイズや干渉の影響を除去でき、高精度のパスサーチを実現し得る。
【００２３】
一方共通パイロットチャンネルの同相加算においては、図６（ｂ）に示すように、同相加算回路５２１、５２２を用い、連続する４スロットＳｌｏｔｋ−２、Ｓｌｏｔｋ−１、Ｓｌｏｔｋ、Ｓｌｏｔｋ＋１において、相前後する２スロット（Ｓｌｏｔｋ−２、Ｓｌｏｔｋ−１）と（Ｓｌｏｔｋ、Ｓｌｏｔｋ＋１）の共通パイロット信号を同相成分（Ｉ成分）と直交成分（Ｑ成分）別にシンボル周期で各シンボル内の対応するチップ（サンプル信号）を同相加算（平均）する。すなわち共通パイロット信号Ｐｉｌｏｔｋ−２、Ｐｉｌｏｔｋ−１の同相平均ＡＶｋ−１（複素成分を持つ信号）を算出し、共通パイロット信号Ｐｉｌｏｔｋ、Ｐｉｌｏｔｋ＋１の同相平均ＡＶｋ＋１（複素成分を持つ信号）を算出し、これら平均値の各サンプルの信号電力を計算し、更にシンボル周期で対応するチップ（サンプル信号）の信号電力平均ＡＶＰｋ＋１を算出する。このような同相加算と、信号電力計算、信号電力平均部５３１、５３２による電力平均算出により、ノイズや干渉の影響を除去でき、高精度のパスサーチを実現し得る。なお、図６（ｂ）に示す共通パイロットチャンネルの各スロット内はすべてパイロット信号であり、本実施例ではその一部のパイロットブロック（例えばスロットＳｌｏｔｋ−２のパイロットブロックＰｉｌｏｔｋ−２）しかパスサーチに使用していないが、同様に各スロット内の全パイロット信号を用いることが可能である。
【００２４】
図６（ａ）と図６（ｂ）には、相前後する２スロットの同相加算（平均）を示したが、同様に連続する複数スロットの同相加算（平均）を行うことが可能である。
【００２５】
コントロールチャンネル受信部４は、基地局からの種々のコントロールのためのコントロール信号を受信し、所定の拡散符号により、スライディング相関器を用いて逆拡散処理し、同期検波とレーク合成を経て、受信信号からコントロール信号を抽出して復調する。またトラフィックチャンネル受信部６は、所定の拡散符号により、スライディング相関器を用いて逆拡散処理し、同期検波とレーク合成を経て、情報信号その他を含むトラフィックチャンネルの信号を抽出して復調する。なお、コントロールチャンネル及びトラフィックチャンネルのそれぞれのマルチパス受信タイミングは、パスサーチ部３のサーチ結果に基づいて決定される。
【００２６】
移動局の送信側には送信部８が設けられ、送信すべきデータに拡散符号を乗じた送信信号を生成し、これを送信ロールオフフィルタ７によって波形整形した後、無線周波数部（図示せず。）から送信する。無線周波数部の制御はコントロール部１０によって行われ、コントロール部１０はコントロール信号ＣＴ、ＤＴを無線周波数部に対して出力する。
【００２７】
コントロールチャンネル受信部４、トラフィックチャンネル受信部６で逆拡散、レーク合成された信号は受信バッファ５に入力され、ＤＳＰ（ｄｉｇｉｔａｌｓｉｇｎａｌ  ｐｒｏｃｅｓｓｏｒ）のバスＢ１、ＤＳＰインターフェイス１３を介してＤＳＰ（図示せず）によって処理される。前記送信部８から送信すべき信号はバスＢ１から送信バッファ９に一旦蓄積され、ここから送信部８に入力される。
【００２８】
セルサーチ部２、パスサーチ部３の出力はマイクロプロセッサ・インターフェイス１２を介してマイクロプロセッサ（図示せず。）によって処理される。移動局内のその他の制御のためにコントロール部１１が設けられ、このコントロール部１１も同様にＭＰＵによって駆動される。また受信バッファ５もバスＢ２と接続され、マイクロプロセッサによって処理される。
【００２９】
図７はパスサーチ部３の詳細を示すブロック図である。前記受信信号ＲＳは同相成分ＲＳＩ、直交成分ＲＳＱよりなり、アナログ・デジタルコンバータ１はこれら各成分に対応したアナログ・デジタルコンバータ１１、１２よりなる。
【００３０】
アナログ・デジタルコンバータ１１、１２の出力は入力バッファ７１に入力されて、一旦保持される。その後受信信号は、マッチドフィルタまたはスライディング相関器よりなる逆拡散・同相化部７２（図５の逆拡散回路２１および同相化部５１に対応する。）によって、パイロットパターンの変調効果が除去される。逆拡散・同相化部７２の出力における送信用アンテナＡ１に対応した信号Ｓａｎｔ１は同相加算バッファ（同相加算部）５２１に入力され、送信用アンテナＡ２に対応した信号は同相加算バッファ（同相加算部）５２２に入力される。同相加算バッファ５２１、５２２においては同相成分（Ｉ成分）、直交成分（Ｑ成分）の同相加算が実行され、同相加算結果の出力が電力平均部５３１、５３２にそれぞれ入力される。
【００３１】
電力平均部５３１は同相加算された送信用アンテナＡ１の同相成分、直交成分から各サンプルの信号電力を算出し、そしてシンボル周期で送信用アンテナＡ１の各サンプルの信号電力を巡回積分し、平均化する。これによって送信用アンテナＡ１に対応する遅延プロファイルが得られる。電力平均部５３２は同相加算された送信用アンテナＡ２の同相成分、直交成分から各サンプルの信号電力を算出し、そしてシンボル周期で各サンプルの信号電力を巡回積分し、平均化する。これによって送信用アンテナＡ２に対応する遅延プロファイルが得られる。
【００３２】
遅延プロファイル合成部５４は出力バッファ７３１、７３２を有し、これら出力バッファ７３１、７３２には電力平均部５３１、５３２の出力がそれぞれ入力されている。出力バッファ７３１、７３２の出力は出力選択部（マルチパス選択部）５５に入力される。
【００３３】
さらにパスサーチ部３は制御部７７、制御レジスタ７８、基準タイマ７９、テスト出力制御部８０、割り込み制御部８２を有する。
【００３４】
制御部７７は入力バッファ７１、逆拡散・同相化部７２、同相加算バッファ５２１、５２２、電力平均部５３１、５３２、出力バッファ７３１、７３２、割り込み制御部８２その他を制御する。
【００３５】
制御レジスタ７８は制御部７７の状態を設定する制御信号を格納し、適宜必要な制御信号を制御部７７に与える。
【００３６】
基準タイマ７９はパスサーチ部３を含む受信装置全体の基準時間を設定するタイマである。
【００３７】
テスト出力制御部８０は、受信装置のテスト出力を生成するための制御部である。
【００３８】
割り込み制御部８２は制御部７７の制御により、必要な割り込み信号を生成する。
【００３９】
図８に示すように、パスサーチ部の他の実施形態を示す。本実施形態においては、図５における同相加算部５２１、５２２が省略されている。
【００４０】
共通パイロットチャンネルに基づいてパスサーチする場合は、同相化部５１の出力信号Ｓａｎｔ１、Ｓａｎｔ２は信号電力平均部５３１、５３２にそれぞれ入力され、共通パイロットチャンネルの複数スロットのパイロット信号（共通パイロット信号）の各シンボル内の各チップ（サンプル信号）の同相成分Ｉと直交成分Ｑからそのチップ（サンプル信号）の信号電力を計算し、そしてそれぞれシンボル周期での巡回積分により各チップ（サンプル）の信号電力平均が算出される。
【００４１】
一方、個別物理チャンネルに基づいてパスサーチする場合は、同相化部５１の出力信号Ｓａｎｔ１、Ｓａｎｔ２は信号電力平均部５３１、５３２にそれぞれ入力され、個別物理チャンネルの複数スロットのパイロット信号（個別パイロット信号）の各シンボル内の各チップ（サンプル信号）の同相成分Ｉと直交成分Ｑからそのチップ（サンプル信号）の信号電力を計算し、そしてそれぞれシンボル周期での巡回積分により各チップ（サンプル）の信号電力平均が算出される。
【００４２】
信号電力平均部５３１、５３２の出力は遅延プロファイル合成部５４に入力され、送信用アンテナＡ１、Ａ２の有力なマルチパスが選択される。
【００４３】
遅延プロファイル合成部５４の出力はマルチパス選択部５５に入力され、レーク合成すべきマルチパスが選択される。
【００４４】
図９（ａ）に示すように、個別物理チャンネルによるパスサーチにおいては、信号電力平均部５３１、５３２を用い、連続する複数スロット（図９（ａ）では４スロットＳｌｏｔｋ−２、Ｓｌｏｔｋ−１、Ｓｌｏｔｋ、Ｓｌｏｔｋ＋１）のパイロット信号（個別パイロット信号）の各シンボル内の各チップ（サンプル信号）の同相成分Ｉと直交成分Ｑからそのチップ（サンプル信号）の信号電力を計算し、そしてシンボル周期で対応するチップ（サンプル信号）の信号電力の平均を巡回積分により算出する。これによって単純な回路により、ノイズや干渉の影響を除去でき、高精度のパスサーチを実現し得る。
【００４５】
一方、図９（ｂ）に示すように、共通パイロットチャンネルによるパスサーチにおいては、信号電力平均部５３１、５３２を用い、連続する複数スロット（図９（ｂ）では４スロットＳｌｏｔｋ−２、Ｓｌｏｔｋ−１、Ｓｌｏｔｋ、Ｓｌｏｔｋ＋１）のパイロット信号（共通パイロット信号）の各シンボル内の各チップ（サンプル信号）の同相成分Ｉと直交成分Ｑからそのチップ（サンプル信号）の信号電力を計算し、そしてシンボル周期で対応するチップ（サンプル信号）の信号電力の平均を巡回積分により算出する。これによって単純な回路により、ノイズや干渉の影響を除去でき、高精度のパスサーチを実現し得る。なお、図９（ｂ）に示す共通パイロットチャンネルの各スロット内はすべてパイロット信号であり、本実施例ではその一部のパイロットブロック（例えば、スロットＳｌｏｔｋ−２のパイロットブロックＰｉｌｏｔｋ−２）しかパスサーチに使用していないが、同様に各スロット内の全パイロット信号を用いることが可能である。
【００４６】
【発明の効果】
本発明によれば、高精度のパスサーチを実現し得る。
【図面の簡単な説明】
【図１】本発明に係るＤＳ−ＣＤＭＡシステムの一実施形態における送信装置を示すブロック図である。
【図２】図１の送信装置から送信される個別物理チャンネルの信号を示すチャートである。
【図３ａ】ＳＴＴＤ方式送信ダイバーシチにおける送信パターンを示すチャートである。
【図３ｂ】共通パイロットチャンネルの送信ダイバーシチによる送信パターンを示すチャートである。
【図４】本発明に係るＤＳ−ＣＤＭＡシステムの一実施形態における受信装置を示すブロック図である。
【図５】図４におけるパスサーチ部を示すブロック図である。
【図６ａ】図５における個別パイロットの同相加算部の処理を示す概念図である。
【図６ｂ】図５における共通パイロットの同相加算部の処理を示す概念図である。
【図７】図４におけるパスサーチ部をさらに詳細に示すブロック図である。
【図８】パスサーチ部の他の実施形態を示すブロック図である。
【図９ａ】図８における個別パイロットの信号電力平均の処理を示す概念図である。
【図９ｂ】図８における共通パイロットの信号電力平均の処理を示す概念図である。
【符号の説明】
ＢＳ  基地局
Ａ１、Ａ２  アンテナ
ＤＰＣＨ１、ＤＰＣＨ２  個別物理チャンネル
ＣＰＩＣＨ１、ＣＰＩＣＨ２  共通パイロットチャンネル
２  セルサーチ部
３  パスサーチ部
２１  逆拡散回路
７２  逆拡散・同相化部
【図１】
2004289191.tif 000003
【図２】
2004289191.tif 000004
【図３ａ】
2004289191.tif 000005
【図３ｂ】
2004289191.tif 000006
【図４】
2004289191.tif 000007
【図５】
2004289191.tif 000008
【図６ａ】
2004289191.tif 000009
【図６ｂ】
2004289191.tif 000010
【図７】
2004289191.tif 000011
【図８】
2004289191.tif 000012
【図９ａ】
2004289191.tif 000013
【図９ｂ】
2004289191.tif 000014